(57)【要約】      （修正有）【課題】リアビュー前置安全スマートヘルメットを提供する。【解決手段】ヘルメット本体１とその上に設けられる通気孔２を含むリアビュー前置安全スマートヘルメットであって、前記ヘルメット本体の後方にリアビューカメラが設けられてその前方のインテリジェントハードウェアに電気接続し、前記インテリジェントハードウェアは、ヘルメット本体の側方に取り外し可能に取り付けられる本体ブラケット３を含み、本体ブラケット３の前方がスイングアームモジュールによりプロジェクター及びフロントカメラが設けられている。ユーザがヘルメット１後方に設けられたリアカメラにより、撮影された画像を目の前の透過式光学モジュールにより再生することができ、サイクリストが後ろの道路状況を把握でき、サイクリストの安全を保証することができる。【選択図】図１
2017095854.tif 000002
【特許請求の範囲】
【請求項１】
ヘルメット本体（１）とその上に設けられるいくつかの通気孔（２）とを含むリアビュー前置安全スマートヘルメットであって、前記ヘルメット本体（１）の後方にリアビューカメラ（７）が設けられてその前方のインテリジェントハードウェアに電気接続され、前記インテリジェントハードウェアは、ヘルメット本体（１）の側方に取り外し可能に取り付けられる本体ブラケット（３）を含み、本体ブラケット（３）の前方にはスイングアームモジュール（３１）によりプロジェクター（４）及びフロントカメラ（５）が設けられており、ユーザがフロントカメラ（５）を用いて撮影してメモリに記憶することができ、またリアビューカメラを起動して画像をプロジェクター（４）に投影してユーザが後の状況を観察することに用いることができることを特徴とするリアビュー前置安全スマートヘルメット。
【請求項２】
前記インテリジェントハードウェアは、本体ブラケット（３）内部に設けられたＧＰＳ位置決めモジュール、ジャイロスコープ、重力センサ及び加速センサをさらに含むことを特徴とする請求項１に記載のリアビュー前置安全スマートヘルメット。
【請求項３】
前記インテリジェントハードウェアは、本体ブラケット（３）に設けられたブルートゥース（登録商標）モジュール、マイクモジュール及びイヤホンモジュールをさらに含み、ユーザがブルートゥースモジュールにより携帯電話に接続して通話の目的を実現することができることを特徴とする請求項１に記載のリアビュー前置安全スマートヘルメット。
【請求項４】
前記インテリジェントハードウェアは、本体ブラケット（３）内部に設けられるネットワーク通信モジュールをさらに含み、２Ｇ、３Ｇ、４Ｇ及びＷＩＦＩネットワークによりインターネットに接続することができることを特徴とする請求項１に記載のリアビュー前置安全スマートヘルメット。
【請求項５】
前記プロジェクター（４）は、透視式光学モジュールであることを特徴とする請求項１に記載のリアビュー前置安全スマートヘルメット。
【発明の詳細な説明】
【技術分野】
【０００１】
本発明は自転車サイクリング装置に関し、具体的には、リアビュー前置安全スマートヘルメットに関する。
【背景技術】
【０００２】
人々は生活水準の向上に伴って、ますますアウトドアスポーツを重視し、アウトドアスポーツのうち、人気のあるスポーツがサイクリングである。サイクリングは、体を動かすことができるだけでなく、風景を楽しむこともでき、心と体をいずれも鍛えることができる。サイクリング過程において、美しい風景に会ったら、止まって風景を撮影しようと思う。そのため、サイクリング過程において、一般的に、カメラ、携帯電話などの撮影デバイスを携帯し、従って、サイクリングの負担を増加させると共に、サイクリング過程において、止まって風景を撮影することは、時間が大変かかる。サイクリング時間は、一般的に、出発前に予定され、止まって撮影することがスケジュールの遅延をもたらし、サイクリングに大変な不便をもたらす。
【０００３】
次に、サイクリング過程において、時々通話し、或いは通信する必要があるが、現在の仕方は、いずれも携帯電話又はインターホンをハンドルに固定し、次にワイヤーヘッドフォンによって直接操作する。このような操作は、ある程度のリスクがあり、ワイヤーヘッドフォンを使用する際に、ヘッドフォンワイヤーを長くする必要があり、且つ使用過程において、体とハンドルとの間の距離が変化する過程において、活動範囲に影響してしまう。
【０００４】
現在、サイクリング過程において、サイクリストは未知の旅に対していずれも事前にインターネットで調べるため、具体的な路線及び道路状況を知らない可能性があり、従って、特に山道において、サイクリング過程により大きな未知のリスクがある。あるいは、他の緊急状況で、一旦事故があったら、主動的に電話等の他のデバイスで通信して仲間からの救助を待つだけであり、主動的に通信できない状況にある場合、救助時間を遅延させる。
【０００５】
最後に、従来のヘルメットにはリアビュー機能が付けられておらず、或いは、様々な機能があるが、これらの機能がいつもヘルメットに固定され、着脱されることができず、ユーザが使用したいかどうか又はこの機能付きの設備が壊れた場合に取り替える必要があり、多くの不便をもたらす。
【発明の概要】
【発明が解決しようとする課題】
【０００６】
本発明の目的は、既存技術の欠点を克服して、構成が簡単であり、使用しやすく、生産コストが低く、構成・方法が新規であるリアビュー前置安全スマートヘルメットを提供することである。
【課題を解決するための手段】
【０００７】
本発明の目的は下記の形態により実現される。
ヘルメット本体とその上に設けられるいくつかの通気孔を含むリアビュー前置安全スマートヘルメットであって、前記ヘルメット本体の後方にリアビューカメラが設けられてその前方のインテリジェントハードウェアに電気接続され、前記インテリジェントハードウェアは、ヘルメット本体の側方に取り外し可能に取り付けられる本体ブラケットを含み、本体ブラケットの前方にはスイングアームモジュールによりプロジェクター及びフロントカメラが設けられており、ユーザがフロントカメラにより撮影してメモリに記憶することができ、リアビューカメラを起動して画像をプロジェクターに投影してユーザが後の状況を観察することに用いることができることを特徴とする。
【０００８】
前記インテリジェントハードウェアは、本体ブラケット内部に設けられたＧＰＳ位置決めモジュール、ジャイロスコープ、重力センサ及び加速センサをさらに含む。
【０００９】
前記インテリジェントハードウェアは、本体ブラケットに設けられたブルートゥース（登録商標）モジュール、マイクモジュール及びイヤホンモジュールをさらに含み、ユーザがブルートゥースモジュールにより携帯電話に接続して通話の目的を実現することができる。
【００１０】
前記インテリジェントハードウェアは、本体ブラケット内部に設けられるネットワーク通信モジュールをさらに含み、２Ｇ、３Ｇ、４Ｇ及びＷＩＦＩネットワークによりインターネットに接続することができる。
【００１１】
前記プロジェクターは、透視式光学モジュールである。
【００１２】
既存技術に比べて、本発明は以下の特徴を有する。
１、本発明は、構成が簡単であり、組み立てやすく、生産コストが低く、市場競争力が強く、自由に着脱することができるメリットを有する。２、ユーザはヘルメット後方に設けられたリアカメラにより、撮影された画像を目の前の透過式光学モジュールにより再生することができ、サイクリストに後ろの道路状況をよく把握させ、サイクリストの安全を確保する。３、ユーザがブルートゥースモジュールによって音楽再生及び携帯電話通話を行い、ユーザの使用に便利であると同時に、従来の配線ヘッドフォンが使用しにくく、ワイヤーがユーザのサイクリングを妨げやすい欠陥を回避する。４、マルチメディアモジュールはＧＰＳナビゲーション等の機能があり、ユーザの運動情報を記録しやすい。
【図面の簡単な説明】
【００１３】
【図１−３】図１乃至図３は、本発明のアセンブリ効果図である。
【図４】図４は、本発明に係る本体ブラケットとヘルメット本体との組立図である。
【図５】図５は、本発明の構成原理図である。
【発明を実施するための形態】
【００１４】
以下、図面を参照しながら、本発明を詳しく説明する。
【００１５】
ヘルメット本体１とその上に設けられるいくつかの通気孔２を含むリアビュー前置安全スマートヘルメットであって、前記ヘルメット本体１の後方にリアビューカメラ７が設けられてその前方のインテリジェントハードウェアに電気接続され、前記インテリジェントハードウェアは、ヘルメット本体１の側方に取り外し可能に取り付けられる本体ブラケット３を含み、本体ブラケット３の前方にはスイングアームモジュール３１によりプロジェクター４及びフロントカメラ５が設けられており、ユーザがフロントカメラ５により撮影してメモリに記憶することができ、リアビューカメラを起動して画像をプロジェクター４に投影してユーザが後の状況を観察することに用いることができることを特徴とする。
【００１６】
前記インテリジェントハードウェアは、本体ブラケット３内部に設けられたＧＰＳ位置決めモジュール、ジャイロスコープ、重力センサ及び加速センサをさらに含む。
【００１７】
前記インテリジェントハードウェアは、本体ブラケット３に設けられたブルートゥースモジュール、マイクモジュール及びイヤホンモジュールをさらに含み、ユーザがブルートゥースモジュールにより携帯電話に接続して通話の目的を実現することができる。
【００１８】
前記インテリジェントハードウェアは、本体ブラケット３内部に設けられるネットワーク通信モジュールをさらに含み、２Ｇ、３Ｇ、４Ｇ及びＷＩＦＩネットワークによりインターネットに接続することができる。
【００１９】
前記プロジェクター４は、透視式光学モジュールである。
【００２０】
動作原理：このヘルメットを使用する前に、インテリジェントハードウェアをヘルメット本体から取り外して充電して、データを獲得することができる。実際の使用時には、接続部材を利用して両者を組み立てるだけで使用することができる。サイクリング過程において、写真を撮ったり、ビデオを撮影する必要がある時に、タッチモジュールを操作することによって指令を送信し、プロセッサが指令を受信した後に、フロントカメラを起動し、さらに、撮影キーを押すと写真を撮ったり、又はビデオを撮影する指令を完了することができ、撮影された写真やビデオは、メモリカードに記憶されることができ、或いは、ブルートゥースにより携帯電話に送信して記憶されることができ、具体的な操作方式に対して、ユーザは、システムにおいて相応に設置すればよい。サイクリング過程において、走行の安全を確保するために、時々後ろの道路状況を観察する必要がある。しかし、自転車はバックミラーを有しないため、サイクリストが振り返って観察する必要があり、これはサイクリストにとって非常に危険なことである。そのため、本発明において、ヘルメットの後部にはカメラが設けられており、ユーザが後ろの車両状況を観察する必要がある場合、ＡＰＰによってプロセッサにリアカメラモジュールを起動する指令を送信し、プロセッサが指令を受信した後にリアカメラを起動し、撮影された画像をデータケーブルによってインテリジェントハードウェアに伝送して、目の前の透過式光学モジュールにより再生し、サイクリストに後ろの道路状況をリアルタイムに把握させ、それにより安全事故の発生を回避する。透過式光学モジュールがコンテンツを再生すると同時に、ユーザがさらに該スクリーンを介して目の前の道路情報を見ることができ、それによるモジュールが視線を遮ることは回避される。
【００２１】
ユーザが未知の線路をサイクリングする時に、ＧＰＳモジュールによりサイクリストの現在位置を確定することができ、その後にＡＰＰにフィードバックして、目的地までの最短ルートを計算し、ルート情報をブルートゥースによりプロセッサに送信する。プロセッサは情報を透過式光学モジュールによりナビゲーションインタフェースを再生し、それにより、サイクリストがどのように目的地に達するかを把握する。それと同時に、サイクリング過程において、ＧＰＳモジュールは、サイクリストの位置を連続的に更新し、携帯電話ＡＰＰにフィードバックすることにより、サイクリストが正確な方向に運転することを確保する。かつ、ＡＰＰが前方の道路状況、例えば、道路補修又は渋滞があるかどかをリアルタイムにモニタリングし、インテリジェントハードウェアによって注意喚起される。ＧＰＳモジュールがさらにジャイロスコープ、Ｇ-sensor及び加速センサなどのモジュールに電気接続されることができ、ＧＰＳ情報を結合して計算し、それによりシステムにおいてユーザがサイクリングする際の関連技術情報を生成し、ユーザがデータを分析し、自分の運動量をタイムリーに把握し、且つデータに基づいて効果的又は体の健康に有利な運動プログラムを立てることに寄与する。
【００２２】
また、本装置の機能性を増加するために、インテリジェントハードウェアは、本体ブラケット３内部に設けられたネットワーク通信モジュールをさらに含み、２Ｇ、３Ｇ、４Ｇ及びＷＩＦＩネットワークによってインターネットに接続されることができる。従ってユーザがサイクリングにおいて、オンライン天気予報問い合わせを行うことができ、サイクリング過程においてネットワーク又はメモリカードから音楽、ビデオ、撮影された写真を再生でき、ユーザの娯楽性を増加させる。
【００２３】
サイクリング過程において電話を呼び出し又は応答する必要がある場合、インテリジェントハードウェアがブルートゥースモジュールによって信号を受信し、マイク及びイヤホンモジュールによって通信し、無線通信の目的を実現し、それにより従来技術の有線ヘッドセットを使用する必要があることによる面倒及びセキュリティリスクを回避する。本発明において様々な機能をヘルメット内に集積させるため、ユーザの使用に利便性をもたらすとともに、新規な構造及び機能が必ず消費者を十分に引き付け、従って広く普及使用させることができる。
【００２４】
以上は本発明の基本的な原理及び主な特徴並びに本発明の利点を示して説明する。当業者は、本発明が上記実施例に制限されず、上記実施例及び説明書には、単に本発明の原理を説明し、本発明の精神及び範囲を逸脱していない範囲で、本発明がさらに種々の変更及び改善を行うことができ、これらの変更及び改善がすべて本発明の範囲にあることを理解すべきである。
【図１】
2017095854.tif 000003
【図２】
2017095854.tif 000004
【図３】
2017095854.tif 000005
【図４】
2017095854.tif 000006
【図５】
2017095854.tif 000007